(57)【要約】【課題】本発明は、カメラ本体の温度に応じてカメラの動作を制限することにより、高温時においても最小限の動作を可能にした電子カメラを提供する。【解決手段】温度センサ９０によって本体ケース１２の温度を測定し、その温度が危険温度以上であって、消費電力の高い動作を処理中の場合には、液晶モニタ２４に「温度上昇のため、機能が制限されます。動画撮影モードが使えません。」と文字にて警告表示する。この後、ユーザーが動画撮影モードを継続して実行している場合には、消費電力の高い動画撮影を、消費電力の低い静止画撮影に自動的に切り替える。この後、温度センサ９０によって測定される温度が危険温度以下になるまで、液晶モニタ２４には「温度上昇のため、機能が制限されます。動画撮影モードが使えません。」の警告を表示する。【選択図】      図４
2007028425.tif 000002
【特許請求の範囲】
【請求項１】
カメラ本体と、
前記カメラ本体の温度を測定する温度測定手段と、
前記温度測定手段による測定温度に基づいて、カメラの動作のうち消費電力の高い動作を禁止し、消費電力の低い動作を実行可能に制御する制御手段と、
を有することを特徴とする電子カメラ。
【請求項２】
前記制御手段は、前記温度測定手段によって測定された温度が所定の温度まで昇温されると、前記電子カメラの表示部に禁止動作を表示することを特徴とする請求項１に記載の電子カメラ。
【請求項３】
前記制御手段は、前記電子カメラの表示部に禁止動作を表示した後、前記消費電力の高い動作を前記消費電力の低い動作に切り替え制御することを特徴とする請求項２に記載の電子カメラ。
【請求項４】
前記制御手段が禁止する前記消費電力の高い動作は、動画撮影動作、連続撮影動作であり、実行可能に制御する前記消費電力の低い動作は、静止画撮影動作、再生動作であることを特徴とする請求項１、２又は３のうちいずれか一つに記載の電子カメラ。
【発明の詳細な説明】
【技術分野】
【０００１】
本発明は電子カメラに係り、特にカメラ本体の温度上昇によりカメラの動作を制限する電子カメラに関する。
【背景技術】
【０００２】
環境温度や内蔵された固体撮像素子、中央処理装置等の発熱体によってカメラ本体の温度が急激に上昇すると、カメラ本体及び構成部品が熱変形したり、固体撮像素子の出力信号にノイズが混在したりするため、カメラ本体の急激な温度上昇は避けなければならない。また、中央処理装置は、消費電力の高い動作を実行すると急激に昇温することが知られている。
【０００３】
特許文献１には、温度検出手段によって環境温度を検出し、この検出した温度が許容使用温度を超えたときに警告を発し、また、この警告に代えてレリーズをロックしたりレンズバリアを閉じたりしてカメラの撮影動作を含む全ての動作を不能状態にするカメラが開示されている。
【０００４】
また、特許文献２には、プラスチックレンズを使用したときのレンズ性能劣化を防止するため、所定の高温環境下で所定時間使用された際に、カメラの表示部に温度警告表示を行うカメラが開示されている。
【特許文献１】特開平５−３４７９５号公報
【特許文献２】特開平６−１７５１８５号公報
【発明の開示】
【発明が解決しようとする課題】
【０００５】
しかしながら、特許文献１に開示されたカメラは、許容使用温度を超えるとレリーズをロックしたりレンズバリアを閉じたりしてカメラの撮影動作を含む全ての動作を不能状態にするものなので、許容使用温度を超えた場合にはカメラを全く使用することができないという問題があった。
【０００６】
また、特許文献２のカメラは、所定の高温環境下で所定時間使用された際に表示部に温度警告表示を行うだけのものであり、カメラの動作を制限するものではない。
【０００７】
本発明はこのような事情に鑑みてなされたもので、カメラ本体の温度に応じてカメラの動作を制限することにより、高温時においても最小限の動作を可能にした電子カメラを提供することを目的としている。
【課題を解決するための手段】
【０００８】
請求項１に記載の発明は、前記目的を達成するために、カメラ本体と、前記カメラ本体の温度を測定する温度測定手段と、前記温度測定手段による測定温度に基づいて、カメラの動作のうち消費電力の高い動作を禁止し、消費電力の低い動作を実行可能に制御する制御手段と、を有することを特徴としている。
【０００９】
このようにカメラ本体の温度に基づいて、カメラの動作のうち消費電力の高い動作を禁止することにより、中央処理装置の急激な昇温を抑えることができるので、カメラ本体の昇温を抑えることができる。そして、カメラ本体の昇温が抑えられた状態で、中央処理装置の昇温に影響のない消費電力の低い動作の実行を許容する。したがって、本発明の電子カメラは、高温時においても最小限の動作を行うことができる。
【００１０】
請求項２に記載の発明は、請求項１において、前記制御手段は、前記温度測定手段によって測定された温度が所定の温度まで昇温されると、前記電子カメラの表示部に禁止動作を表示することを特徴としている。
【００１１】
このように電子カメラの表示部に、昇温によって禁止される禁止動作を表示することにより、ユーザーは禁止動作はもとより実行可能な動作も把握することができるので、電子カメラの誤操作を未然に防止できる。
【００１２】
請求項３に記載の発明は、請求項２において、前記制御手段は、前記電子カメラの表示部に禁止動作を表示した後、前記消費電力の高い動作を前記消費電力の低い動作に切り替え制御することを特徴としている。
【００１３】
電子カメラの表示部に禁止動作を表示し、ユーザーに禁止動作の禁止を促したにもかかわらず、ユーザーがそれを忘れて禁止動作を継続した場合、本発明では、表示部に禁止動作を表示した後、消費電力の高い動作から消費電力の低い動作に動作を自動で切り替えるよう制御手段が制御する。したがって、カメラ本体の不用意な昇温を防止することができる。  
【００１４】
請求項４に記載の発明は、請求項１、２又は３において、前記制御手段が禁止する前記消費電力の高い動作は、動画撮影動作、連続撮影動作であり、実行可能に制御する前記消費電力の低い動作は、静止画撮影動作、再生動作であることを特徴としている。また、消費電力の高い動作には音声付き動画撮影、光学ズーム動作がある。
【発明の効果】
【００１５】
本発明に係る電子カメラによれば、カメラ本体の温度に基づいて、カメラの動作のうち消費電力の高い動作を禁止することにより、中央処理装置の急激な昇温を抑えることができるので、カメラ本体の昇温を抑えることができ、そして、カメラ本体の昇温が抑えられた状態で、中央処理装置の昇温に影響のない消費電力の低い動作の実行を許容するので、高温時においても最小限の動作を行うことができる。
【発明を実施するための最良の形態】
【００１６】
以下、添付図面に従って本発明に係る電子カメラの好ましい実施の形態について説明する。なお、以下の説明では、電子カメラであるデジタルカメラに適用した例について説明するが、本発明はこれに限定されるものではなく、カメラ付き携帯電話機に適用可能である。
【００１７】
図１は、実施の形態のデジタルカメラ１０を正面から見た斜視図であり、図２はデジタルカメラ１０を背面から見た斜視図である。また、図３は、デジタルカメラ１０の全体構成を示したブロック図である。
【００１８】
図１、図２の如くデジタルカメラ１０は、カメラケース（本体ケース）１２の前面の左側に前方に膨らんだグリップ部１４が形成され、グリップ部１４が位置するカメラケース１２の上面には撮影ボタン１６が配置されている。この撮影ボタン１６は、グリップ部１４を把持したユーザーの右手の人指し指によって操作可能な位置に設けられている。更に、カメラケース１２の前面の略中央部には、撮影レンズ１８を保持した沈胴／繰り出し式のテレスコープ型レンズ鏡胴２０が前方に突出して設けられている。更にまた、カメラケース１２の前面の右側上部には、キセノン管を有するストロボ発光部２２が設けられるとともに、カメラケース１２の背面には図２の如く液晶モニタ２４、モード選択スイッチ２６、十字キー２７等の各種スイッチ、及びファインダ２８がそれぞれ所定の位置に設けられている。
【００１９】
このデジタルカメラ１０は、モード選択スイッチ２６を操作することによって静止画撮影、動画撮影、連続撮影（連写）の撮影動作のうち一つの撮影動作が選択される。静止画撮影動作が選択されると、撮影ボタン１６の押圧操作によって被写体が１コマ毎撮影され、動画撮影動作が選択されると、撮影ボタン１６が押されている間、動画（Motion JPEG ）撮影が可能である。連続撮影動作が選択されると、撮影ボタン１６が押されている間、連写し続け、操作ボタン１６から指を上げた瞬間の直前の数コマを撮影することができる。
【００２０】
デジタルカメラ１０は、図３の如く中央処理装置（ＣＰＵ）３０によってその全体動作が統括制御されている。ＣＰＵ３０は、所定のプログラムに従ってカメラシステムを制御する制御手段として機能するとともに、自動露出（ＡＥ）演算、自動焦点調節（ＡＦ）演算、ホワイトバランス（ＷＢ）調整演算など、各種演算を実施する演算手段として機能する。
【００２１】
バス３２を介してＣＰＵ３０と接続されたＲＯＭ３４には、ＣＰＵ３０が実行するプログラム及び制御に必要な各種データ等が格納され、ＥＥＰＲＯＭ３６には、ＣＣＤ画素欠陥情報、カメラ動作に関する各種定数／情報等が格納されている。
【００２２】
また、メモリ（ＳＤＲＡＭ）３８は、プログラムの展開領域及びＣＰＵ３０の演算作業用領域として利用されるとともに、静止及び動画の画像データや音声データの一時記憶領域として利用される。ＨＤＤ（ハードディスクドライブユニット）４０は画像データ専用の一時記憶メモリであり、自由落下及び振動を検出する３軸加速度センサ４２が内蔵されている。３軸加速度センサ４２によってデジタルカメラ１０の自由落下が検出されると、ＨＤＤ４０に内蔵された不図示のヘッド退避手段によってヘッドをＨＤＤ４０のハードディスクから退避させる。なお、メモリ３８とＨＤＤ４０は共用することが可能である。
【００２３】
モード選択スイッチ２６は、静止画撮影、動画撮影、連続撮影（連写）の撮影モードと再生モードとを切り替えるための操作手段である。モード選択スイッチ２６を操作して可動接片２６Ａを接点ａに接続させると、その信号がＣＰＵ３０に入力され、デジタルカメラ１０は撮影モードに設定される。また、可動接片２６Ａを接点ｂに接続させると、デジタルカメラ１０は記録済みの画像を再生する再生モードに設定される。
【００２４】
撮影ボタン１６は、撮影開始の指示を入力する操作ボタンであり、半押し時にオンになるＳ１スイッチと、全押し時にオンになるＳ２スイッチとを有する二段ストローク式のスイッチで構成されている。
【００２５】
メニュー／ＯＫキー（図２には不図示）は、液晶モニタ２４の画面上にメニューを表示させる指令を行うためのメニューボタンとしての機能と、選択内容の確定及び実行などを指令するＯＫボタンとしての機能とを兼備した操作キーである。十字キー２７は、上下左右の４方向の指示を入力する操作部であり、メニュー画面から項目を選択したり、各メニューから各種設定項目の選択を指示したりするボタンとして機能する。この十字キー２７によって静止画撮影、動画撮影、連続撮影（連写）のうち一つの撮影動作が選択され、メニュー／ＯＫキーの押圧操作により選択した撮影動作が確定される。キャンセルキー（図２には不図示）は、選択項目など所望の対象の消去や指示内容の取消し、あるいは一つ前の操作状態に戻らせる時などに使用される。
【００２６】
液晶モニタ２４は、ユーザインターフェース用表示画面としても利用され、必要に応じてメニュー情報や選択項目、設定内容などの情報が表示される。この液晶モニタ２４は液晶ディスプレイであるが、これに代えて、有機ＥＬなど他の方式の表示装置を用いることも可能である。
【００２７】
デジタルカメラ１０は、メディアソケット４６を有し、メディアソケット４６には記録メディア４８を装着することができる。記録メディアの形態は特に限定されず、スマートメディア（商標）に代表される半導体メモリカード、可搬型小型ハードディスク、磁気ディスク、光ディスク、光磁気ディスクなど、種々の媒体を用いることができる。
【００２８】
メディアコントローラ５０は、メディアソケット４６に装着される記録メディア４８に適した入出力信号の受渡しを行うために所要の信号変換を行う。
【００２９】
また、デジタルカメラ１０は、パソコンその他の外部機器と接続するための通信手段としてＵＳＢインターフェース部５２を備えている。ＵＳＢケーブルを用いてデジタルカメラ１０と外部機器を接続することにより、外部機器との間でデータの受渡しが可能となる。もちろん、通信方式はＵＳＢに限らず、その他の通信方式を適用してもよい。
【００３０】
次に、デジタルカメラ１０の撮影機能について説明する。
【００３１】
モード選択スイッチ２６によって撮影モードが選択されると、カラーＣＣＤ固体撮像素子（以下ＣＣＤと記載）５４を含む撮像部に電源が供給され、静止画、動画、又は連続撮影が可能な状態になる。この後、十字キー２７によって静止画撮影、動画撮影、連続撮影（連写）のうち一つの撮影動作を選択し、メニュー／ＯＫキーを押圧操作することにより選択した撮影動作を確定する。
【００３２】
レンズ鏡胴２０は、フォーカスレンズを含む撮影レンズ１８と絞り兼用メカシャッター５６とを含む光学ユニットである。レンズ鏡胴２０は、ＣＰＵ３０によって制御されるレンズ駆動部５８、絞り駆動部６０によって電動駆動され、ズーム制御、フォーカス制御及びアイリス制御が行われる。
【００３３】
撮影レンズ１８を通過した光は、ＣＣＤ５４の受光面に結像される。ＣＣＤ５４の受光面には多数のフォトダイオード（受光素子）が二次元的に配列されており、各フォトダイオードに対応して赤（Ｒ）、緑（Ｇ）、青（Ｂ）の原色カラーフィルタが所定の配列構造で配置されている。また、ＣＣＤ５４は、各フォトダイオードの電荷蓄積時間（シャッタースピード）を制御する電子シャッター機能を有している。ＣＰＵ３０は、タイミングジェネレータ６２を介してＣＣＤ５４での電荷蓄積時間を制御する。なお、ＣＣＤ５４に代えてＭＯＳ型など他の方式の撮像素子を用いてもよい。
【００３４】
ＣＣＤ５４の受光面に結像された被写体像は、各フォトダイオードによって入射光量に応じた量の信号電荷に変換される。各フォトダイオードに蓄積された信号電荷は、ＣＰＵ３０の指令に従いタイミングジェネレータ６２から与えられる駆動パルスに基づいて信号電荷に応じた電圧信号（画像信号）として順次読み出される。
【００３５】
ＣＣＤ５４から出力された信号はアナログ処理部（ＣＤＳ／ＡＭＰ）６４に送られ、ここで画素毎のＲ、Ｇ、Ｂ信号がサンプリングホールド（相関二重サンプリング処理）され、増幅された後、Ａ／Ｄ変換器６６に加えられる。Ａ／Ｄ変換器６６によってデジタル信号に変換された点順次のＲ、Ｇ、Ｂ信号は、画像入力コントローラ６８を介してメモリ３８に記憶される。
【００３６】
画像信号処理回路７０は、メモリ３８に記憶されたＲ、Ｇ、Ｂ信号をＣＰＵ３０の指令に従って処理する。すなわち、画像信号処理回路７０は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含む画像処理手段として機能し、ＣＰＵ３０からのコマンドに従ってメモリ３８を活用しながら所定の信号処理を行う。
【００３７】
画像信号処理回路７０に入力されたＲＧＢの画像データは、画像信号処理回路７０において輝度信号及び色差信号に変換されるとともに、ガンマ補正等の所定の処理が施される。画像信号処理回路７０で処理された画像データはＨＤＤ４０に記録される。
【００３８】
撮影画像を液晶モニタ２４にモニタ出力する場合、ＨＤＤ４０から画像データが読み出され、バス３２を介してビデオエンコーダ７２に送られる。ビデオエンコーダ７２は、入力された画像データを表示用の所定方式の信号（例えば、ＮＴＳＣ方式のカラー複合映像信号）に変換して液晶モニタ２４に出力する。
【００３９】
撮影ボタン１６が半押しされ、Ｓ１がオンになると、デジタルカメラ１０はＡＥ及びＡＦ処理を開始する。すなわち、ＣＣＤ５４から出力された画像信号はＡ／Ｄ変換後に画像入力コントローラ６８を介してＡＦ検出回路７４並びにＡＥ／ＡＷＢ検出回路７６に入力される。
【００４０】
ＡＥ／ＡＷＢ検出回路７６は、１画面を複数のエリア（例えば、１６×１６）に分割し、分割エリアごとにＲＧＢ信号を積算する回路を含み、その積算値をＣＰＵ３０に提供する。ＣＰＵ３０は、ＡＥ／ＡＷＢ検出回路７６から得た積算値に基づいて被写体の明るさ（被写体輝度）を検出し、撮影に適した露出値（撮影ＥＶ値）を算出する。求めた露出値と所定のプログラム線図に従い、絞り値とシャッタースピードが決定され、これに従いＣＰＵ３０はＣＣＤ５４の電子シャッター及びアイリスを制御して適正な露光量を得る。
【００４１】
また、ＡＥ／ＡＷＢ検出回路７６は、自動ホワイトバランス調整時には、分割エリアごとにＲＧＢ信号の色別の平均積算値を算出し、その算出結果をＣＰＵ３０に提供する。ＣＰＵ３０は、Ｒの積算値、Ｂの積算値、Ｇの積算値を得て、各分割エリアごとにＲ／Ｇ及びＢ／Ｇの比を求め、これらＲ／Ｇ、Ｂ／Ｇの値のＲ／Ｇ、Ｂ／Ｇの色空間における分布等に基づいて光源種判別を行い、判別された光源種に適したホワイトバランス調整値に従って、例えば、各比の値がおよそ１になるように、ホワイトバランス調整回路のＲ、Ｇ、Ｂ信号に対するゲイン値（ホワイトバランス補正値）を制御し、各色チャンネルの信号に補正をかける。前述した各比の値を１以外の値になるようにホワイトバランス調整回路のゲイン値を調整すると、ある色味が残った画像を生成することができる。
【００４２】
デジタルカメラ１０におけるＡＦ制御は、例えば映像信号のＧ信号の高周波成分が極大になるようにフォーカシングレンズ（撮影レンズ１８を構成するレンズ光学系のうちフォーカス調整に寄与する移動レンズ）を移動させるコントラストＡＦが適用される。すなわち、ＡＦ検出回路７４は、Ｇ信号の高周波成分のみを通過させるハイパスフィルタ、絶対値化処理部、画面内（例えば、画面中央部）に予め設定されているフォーカス対象エリア内の信号を切り出すＡＦエリア抽出部、及びＡＦエリア内の絶対値データを積算する積算部から構成される。
【００４３】
ＡＦ検出回路７４で求めた積算値のデータはＣＰＵ３０に通知される。ＣＰＵ３０は、レンズ駆動部５８を制御してフォーカシングレンズを移動させながら、複数のＡＦ検出ポイントで焦点評価値（ＡＦ評価値）を演算し、評価値が極大となるレンズ位置を合焦位置として決定する。そして、求めた合焦位置にフォーカシングレンズを移動させるようにレンズ駆動部５８を制御する。なお、ＡＦ評価値の演算はＧ信号を利用する態様に限らず、輝度信号（Ｙ信号）を利用してもよい。
【００４４】
撮影ボタン１６が半押しされ、Ｓ１オンによってＡＥ／ＡＦ処理が行われ、撮影ボタン１６が全押しされ、Ｓ２オンによって記録用の撮影動作がスタートする。Ｓ２オンに応動して取得された画像データは画像信号処理回路７０において輝度／色差信号（Ｙ／Ｃ信号）に変換され、ガンマ補正等の所定の処理が施された後、メモリ３８に格納される。
【００４５】
メモリ３８に格納されたＹ／Ｃ信号は、圧縮伸張回路７８によって所定のフォーマットに従って圧縮された後、メディアコントローラ５０を介して記録メディア４８に記録される。例えば、画像についてはＪＰＥＧ形式で記録される。
【００４６】
モード選択スイッチ２６により再生モードが選択されると、記録メディア４８に記録されている最終の画像ファイル（最後に記録されたファイル）の圧縮データが読み出される。最後の記録に係るファイルが静止画ファイルの場合、この読み出された画像圧縮データは、圧縮伸張回路７８を介して非圧縮のＹＣ信号に伸張され、画像信号処理回路７０及びビデオエンコーダ７２を介して表示用の信号に変換された後、液晶モニタ２４に出力される。これにより、当該ファイルの画像内容が液晶モニタ２４の画面上に表示される。
【００４７】
静止画の一コマ再生中（動画の先頭フレーム再生中も含む）に、十字キーの右キー又は左キーを操作することによって、再生対象のファイルを切り替えること（順コマ送り／逆コマ送り）ができる。コマ送りされた位置の画像ファイルが記録メディア４８から読み出され、上記と同様にして静止画像や動画が液晶モニタ２４に再生表示される。なお、デジタルカメラ１０は、電源回路８０を介して供給される電池８２の電力によって駆動される。以上がカメラ１の全体構成である。
【００４８】
ところで実施の形態のデジタルカメラ１０は、図３の如くカメラケース１２の温度を測定する温度センサ（温度測定手段）９０を有している。この温度センサ９０は、デジタルカメラ１０の構成部品のうち発熱量の一番大きいＣＰＵ３０の近傍に取り付けられ、特にＣＰＵ３０の温度を測定する。温度センサ９０によって測定された温度を示す情報は、制御手段であるＣＰＵ３０に出力される。ＣＰＵ３０には、デジタルカメラ１０の動作に支障をきたす温度（ＣＣＤ５４の出力にノイズが混入する温度：約７０度）が記憶され、温度センサ９０によって測定された温度が７０度を超えると、デジタルカメラ１０の動作のうち消費電力の高い動作を禁止し、消費電力の低い動作を実行可能に制御する。すなわち、ＣＰＵ３０は、消費電力の高い動作である動画撮影動作、連続撮影動作を禁止、消費電力の低い動作である静止画撮影動作、再生動作を実行可能に制御する。また、この禁止動作は、液晶モニタ２４に文字表示されるとともに、実行可能な動作も液晶モニタ２４に文字表示される。
【００４９】
したがって、実施の形態のデジタルカメラ１０では、温度センサ９０によって測定されたカメラケース１２（ＣＰＵ３０）の温度に基づいて、デジタルカメラ１０の動作のうち消費電力の高い動作を禁止することにより、ＣＰＵ３０の急激な昇温を抑えることができるので、カメラケース１２の昇温を抑えることができる。そして、カメラケース１２の昇温が抑えられた状態で、ＣＰＵ３０の昇温に影響のない消費電力の低い動作の実行を許容する。したがって、デジタルカメラ１０によれば、高温時においても最小限の動作、すなわち静止画撮影動作、再生動作を行うことができる。なお、カメラの機種によって消費電力の高い動作、消費電力の低い動作は異なるため、上記の例に限定されない。
【００５０】
また、デジタルカメラ１０では、温度センサ９０によって測定された温度が７０度を超えると、液晶モニタ２４に禁止動作を表示するので、ユーザーは禁止動作はもとより実行可能な動作も把握することができる。よって、デジタルカメラ１０の誤操作を未然に防止できる。なお、しきい値となる温度は７０度に限定されるものではない。また、温度センサ９０で測定された温度が、例えば零下の低温の場合には、消費電力の高い動作の実行を許容し、ＣＰＵ３０を急激に昇温（発熱）させることによって、冷たいカメラケース１２を温めるようにしてもよい。
【００５１】
一方、ＣＰＵ３０は、液晶モニタ２４に禁止動作を表示した後、前記消費電力の高い動作を前記消費電力の低い動作に切り替え制御する。すなわち、動画撮影中の場合には、静止画撮影に自動的に切り替える。この自動切り替えによって以下の効果を得ることができる。
【００５２】
すなわち、液晶モニタ２４に禁止動作である動画撮影動作を文字表示し、ユーザーに動画撮影動作の禁止を促したにもかかわらず、ユーザーがそれを忘れて動画撮影動作を継続した場合、このデジタルカメラ１０は動画撮影動作から静止画撮影動作に自動で切り替わるため、ＣＰＵ３０の不用意な昇温を防止することができる。
【００５３】
図４は、デジタルカメラ１０の動作の一例を示したフローチャートである。
【００５４】
同図に示すフローチャートによれば、温度センサ９０によって本体ケース１２の温度を測定（検出）し（Ｓ（step）１００）、その温度が危険温度以上であって（Ｓ１１０）、負荷の高い（消費電力の高い）動作を処理中の場合には（Ｓ１２０）、液晶モニタ２４に「温度上昇のため、機能が制限されます。動画撮影モードが使えません。」と文字にて警告表示する（Ｓ１３０）。この後、ユーザーが動画撮影モードを継続して実行している場合には、負荷の重い処理（動画撮影）を負荷の軽い（消費電力の低い）処理（静止画撮影）に自動的に切り替える（Ｓ１４０）。この後、温度センサ９０によって測定される温度が危険温度以下になるまで、液晶モニタ２４には「温度上昇のため、機能が制限されます。動画撮影モードが使えません。」の警告を文字表示する（Ｓ１５０）。
【００５５】
図５は、デジタルカメラ１０の動作の他の例を示したフローチャートである。
【００５６】
同図に示すフローチャートによれば、温度センサ９０によって本体ケース１２の温度を測定（検出）し（Ｓ２００）、その温度が危険温度以上であって（Ｓ２１０）、負荷の高い（消費電力の高い）動作を処理中の場合には（Ｓ２２０）、液晶モニタ２４に「温度上昇のため、以下の処理に切り替えて下さい。処理１（静止画撮影動作）、処理２（再生動作）」と文字にて警告表示する（Ｓ２３０）。この後、ユーザーが処理１（静止画撮影動作）又は処理２（再生動作）を選択すると（Ｓ２４０）、選択した動作に切り替える（Ｓ２５０）。これにより、ＣＰＵ３０の不用意な昇温を防止することができる。
【図面の簡単な説明】
【００５７】
【図１】実施の形態のデジタルカメラの正面斜視図
【図２】図１に示したデジタルカメラの背面斜視図
【図３】図１に示したデジタルカメラの全体構成を示したブロック図
【図４】デジタルカメラの動作の一例を示したフローチャート
【図５】デジタルカメラの動作の他の例を示したフローチャート
【符号の説明】
【００５８】
１０…デジタルカメラ、１２…カメラケース、１６…撮影ボタン、１８…撮影レンズ、２０…レンズ鏡胴、２４…液晶モニタ、２６…モード選択スイッチ、３０…ＣＰＵ、３４…ＲＯＭ、５４…カラーＣＣＤ固体撮像素子、７０…画像信号処理回路、９０…温度センサ
【図１】
2007028425.tif 000003
【図２】
2007028425.tif 000004
【図３】
2007028425.tif 000005
【図４】
2007028425.tif 000006
【図５】
2007028425.tif 000007